(57)【要約】【課題】  蛍光灯を接続して使用することができるとともに、蛍光灯器具のソケットから電子機器に直流電力を供給することができるようにする。【解決手段】  蛍光灯器具の蛍光灯ソケットに接続して、蛍光灯ソケットを介して蛍光灯器具から供給された交流電力を直流電力に変換し、変換された直流電力を電子機器に供給するとともに、蛍光灯ソケットを介して蛍光灯器具から供給された交流電力を蛍光灯に供給するようにする。【選択図】        図１
2005295781.tif 000002
【特許請求の範囲】
【請求項１】
電子機器に直流電力を供給する電源装置であって、
蛍光灯器具の蛍光灯ソケットに接続する接続手段と、前記接続手段により接続された前記蛍光灯ソケットを介して前記蛍光灯器具から供給された交流電力を直流電力に変換する電力変換手段と、前記電力変換手段により変換された直流電力を電子機器に供給する第１の供給手段と、前記接続手段により接続された前記蛍光灯ソケットを介して前記蛍光灯器具から供給された交流電力を蛍光灯に供給する第２の供給手段とを備えたことを特徴とする電源装置。
【請求項２】
前記電力変換手段は、直流安定化電源回路で構成された電力変換手段であることを特徴とする請求項１記載の電源装置。
【請求項３】
前記電力変換手段は、フィードバック回路を有するスイッチング電源回路で構成された電力変換手段であることを特徴とする請求項１記載の電源装置。
【発明の詳細な説明】
【技術分野】
【０００１】  本発明は、電子機器に直流電力を供給する電源装置に係り、特に蛍光灯器具から電子機器に直流電力を供給することができる電源装置に関する。
【背景技術】
【０００２】  一般に、直流電力により動作する電子機器は、商用交流電源が供給されたコンセントにＡＣアダプタを接続して、ＡＣアダプタにより交流電力を所定の直流電力に変換して電子機器に供給するようになっている。しかし、コンセントがなく、蛍光灯のみが設置されている廊下等の場合、電子機器に直流電力を供給することができず、電気工事を行ってコンセント等を設置しなければ電子機器を廊下等で使用することができないという問題点があった。【０００３】  背景技術としては、内蔵の充電可能な充電池からの充電、内蔵のＡＣアダプタ機能を用いて商用交流電源からの充電、内蔵のＤＣアダプタ機能を用いて自動車のシガーライタソケットからの充電が可能で変圧、制御、内蔵充電池の充電管理を制御基板上の制御回路により行なって携帯電話の内蔵充電池へ電力を供給するようにしたものがあった（例えば、特許文献１参照）。【０００４】  また、取外し及び交換可能な充電池からの充電、本体に内蔵のＡＣアダプタ機能を用いて商用交流電源からの充電及び蓄電、内蔵のＤＣアダプタ機能を用いて自動車のシガーライタソケットからの充電及び蓄電が可能で変圧、制御、取外し及び交換可能な充電池の充電管理を制御基板上の制御回路により行って、デジタルカメラの内蔵充電池又はＡＣ入力端子へ電力を供給するようにしたものがあった（例えば、特許文献２参照）。
【特許文献１】  特開２００３−２１９５６９号公報
【特許文献２】  特開２００３−３０９９３０号公報
【発明の開示】
【発明が解決しようとする課題】
【０００５】  しかしながら、背景技術で述べたものの前者においては、内蔵の充電可能な充電池からの充電、内蔵のＡＣアダプタ機能を用いて商用交流電源からの充電、内蔵のＤＣアダプタ機能を用いて自動車のシガーライタソケットからの充電が可能で変圧、制御、内蔵充電池の充電管理を制御基板上の制御回路により行なって携帯電話の内蔵充電池へ電力を供給することができたが、コンセントがなく、蛍光灯のみが設置されている廊下等において、電子機器に直流電力を供給するようにしたものではなかった。【０００６】  また、後者においては、取外し及び交換可能な充電池からの充電、本体に内蔵のＡＣアダプタ機能を用いて商用交流電源からの充電及び蓄電、内蔵のＤＣアダプタ機能を用いて自動車のシガーライタソケットからの充電及び蓄電が可能で変圧、制御、取外し及び交換可能な充電池の充電管理を制御基板上の制御回路により行って、デジタルカメラの内蔵充電池又はＡＣ入力端子へ電力を供給することができたが、コンセントがなく、蛍光灯のみが設置されている廊下等において、電子機器に直流電力を供給するようにしたものではなかった。【０００７】  本発明は、背景技術の有するこのような問題点に鑑みてなされたものであり、その目的とするところは、蛍光灯を接続して使用することができるとともに、蛍光灯器具のソケットから電子機器に直流電力を供給することができる電源装置を提供しようとするものである。
【課題を解決するための手段】
【０００８】  上記目的を達成するため本発明においては、電子機器に直流電力を供給する電源装置であって、蛍光灯器具の蛍光灯ソケットに接続する接続手段と、前記接続手段により接続された前記蛍光灯ソケットを介して前記蛍光灯器具から供給された交流電力を直流電力に変換する電力変換手段と、前記電力変換手段により変換された直流電力を電子機器に供給する第１の供給手段と、前記接続手段により接続された前記蛍光灯ソケットを介して前記蛍光灯器具から供給された交流電力を蛍光灯に供給する第２の供給手段とを備える。【０００９】  前記電力変換手段は、直流安定化電源回路で構成するようにするとよい。【００１０】  また、前記電力変換手段は、フィードバック回路を有するスイッチング電源回路で構成するようにするとよい。【００１１】  これらの手段により、蛍光灯を接続して使用することができるとともに、蛍光灯器具のソケットから電子機器に直流電力を供給することができる。
【発明の効果】
【００１２】  請求項１記載の発明に係る電源装置によれば、蛍光灯器具の蛍光灯ソケットに接続して、蛍光灯ソケットを介して蛍光灯器具から供給された交流電力を直流電力に変換し、変換された直流電力を電子機器に供給するとともに、蛍光灯ソケットを介して蛍光灯器具から供給された交流電力を蛍光灯に供給するようにしているので、蛍光灯を接続して使用することができるとともに、蛍光灯器具のソケットから電子機器に直流電力を供給することができる。【００１３】  請求項２記載の発明に係る電源装置によれば、蛍光灯器具から供給された交流電力を直流電力に変換する電力変換回路を直流安定化電源回路で構成するようにしているので、安定化された電圧の直流電力を電子装置に供給することができる。【００１４】  請求項３記載の発明に係る電源装置によれば、蛍光灯器具から供給された交流電力を直流電力に変換する電力変換回路をフィードバック回路を有するスイッチング電源回路で構成するようにしているので、安定化された電圧の直流電力を電子装置に供給することができ、電源装置を小型化することができる。
【発明を実施するための最良の形態】
【００１５】  以下、適宜図面を参照しながら本発明を実施するための最良の形態を詳述する。図１は本発明の一実施例の電源装置の構成を示すブロック図であり、図２は本発明の一実施例の電源装置を示す図であり、図３は本発明の一実施例の電源装置の使用形態を示す図である。【００１６】  まず、図１は本発明の一実施例の電源装置の構成を示すブロック図を基に説明する。【００１７】  電源装置１０は、交流電力を整流平滑して直流電力に変換する整流平滑回路１１と、整流平滑回路１１により直流電力に変換され、スイッチングトランス１３の１次側コイル（図示せず）に供給された直流電力をスイッチングして、スイッチングトランス１３の２次側コイル（図示せず）に所定の低電圧の交流電力を発生させるスイッチング回路１２と、スイッチングトランス１２の２次側コイル（図示せず）に発生した交流電力を整流平滑して直流電力に変換する整流平滑回路１４と、整流平滑回路１４により変換された直流電力の電圧を検出して、スイッチング回路１２のスイッチング動作を制御するフィードバック回路１５と、交流入力端子２３を介して商用交流電源５０に接続された蛍光灯器具２０の安定器２１と点灯回路２２とが接続された蛍光灯ソケット２４と接続するための接続プラグ１６と、蛍光灯管球３１に接続された蛍光灯３０の接続プラグ３２を接続するための蛍光灯ソケット１７と、電子機器４０に直流電力を供給するＤＣプラグ１８とで構成されている。【００１８】  以上のように構成された電源装置について、以下その動作について説明する。【００１９】  交流入力端子２３を介して商用交流電源５０に接続された蛍光灯器具２０の安定器２１と点灯回路２２とが接続された蛍光灯ソケット２４からの交流電力が接続プラグ１６により電源装置１０に供給され、電源装置１０に供給された交流電力が整流平滑回路１１により整流平滑されて直流電力に変換されて、スイッチングトランス１３の１次側コイル（図示せず）に供給され、スイッチングトランス１３の１次側コイルに供給された直流電力がスイッチング回路１２によりスイッチングされて、スイッチングトランス１３の２次側コイル（図示せず）に所定の低電圧の交流電力が発生する。スイッチングトランス１２の２次側コイル（図示せず）に発生した交流電力は、整流平滑回路１４により整流平滑されて直流電力に変換され、整流平滑回路１４により変換された直流電力の電圧がフィードバック回路１５により検出されて、フィードバック回路１５によりその電圧に応じてスイッチング回路１２のスイッチング動作が制御され、安定化された所定の低電圧の直流電力が整流平滑回路１４からＤＣプラグ１８を介して電子機器４０に供給される。また、電源装置１０の蛍光灯ソケット１７に蛍光灯管球３１に接続された蛍光灯３０の接続プラグ３２を接続することにより、蛍光灯器具２０の安定器２１と点灯回路２２とが接続された蛍光灯ソケット２４に接続されるようになっているので、蛍光灯３０を使用することができる。これにより、蛍光灯を電源装置の蛍光灯ソケットに接続して使用することができるとともに、蛍光灯器具の蛍光灯ソケットからの交流電力を直流電力に変換して電子機器に供給することができるので、コンセントがな��、蛍光灯のみが設置されている廊下等において、電子機器に直流電力を供給することができる。【００２０】  また、図２の本発明の一実施例の電源装置を示す図を基に説明する。【００２１】  図２（ａ）は、本発明の一実施例の電源装置を示す上面図であり、図２（ｂ）は本発明の一実施例の電源装置を示す側面図であり、図２（ｃ）は本発明の一実施例の電源装置を示す底面図である。電源装置１０の上面には、図２（ａ）に示すように、交流入力端子２３を介して商用交流電源５０に接続された蛍光灯器具２０の蛍光灯ソケット２４と接続するための接続端子１６ａを有する接続プラグ１６が設けられ、また、電源装置１０の底面には、図２（ｃ）に示すように、蛍光灯３０の蛍光灯プラグ３２を接続するための接点１７ａを有する蛍光灯ソケット１７が設けられていて、電源装置１０を介して蛍光灯３０を使用することができるようになっている。また、電源装置１０の側面には、電源装置１０から電子機器４０に直流電力を供給するための接続コード１８ａが接続されていて、接続コード１８ａの先端には電子機器４０と接続するためのＤＣプラグ１８が取り付けられている。なお、接続プラグ１６の形状は、蛍光灯３０の接続プラグの形状と同等になっていて、蛍光灯ソケット１７の形状は蛍光灯器具２０の蛍光灯ソケット２４の形状と同等になっている。【００２２】  また、図３の本発明の一実施例の電源装置の使用形態を示す図を基に説明する。【００２３】  電源装置１０は、電源装置１０の上面に設けられた接続プラグ１６が蛍光灯器具２０の蛍光灯ソケット２４に接続され、電源装置１０の側面から引き出された接続コード１８ａの先端に取り付けられたＤＣプラグ１８から電子機器４０に直流電力が供給されるようになっている。また、電源装置１０の底面に設けられた蛍光灯ソケット１７に蛍光灯３０の接続プラグ３２が接続して蛍光灯３０を使用することができるようになっている。なお、２５は蛍光灯器具２０のフードである。【００２４】  以上、本発明を実施するための最良の形態について詳述したが、本発明はこれに限らず、当業者の通常の知識の範囲内でその変形や改良が可能である。例えば、スイッチングトランスを用いてスイッチング電源回路により交流電力を直流電力に変換することについて説明したが、通常の電源トランスを用いて直流安定化電源回路により交流電力を直流電力に変換するようにしてもよい。
【図面の簡単な説明】
【００２５】
【図１】  本発明の一実施例の電源装置の構成を示すブロック図である。
【図２】  本発明の一実施例の電源装置を示す図である。
【図３】  本発明の一実施例の電源装置の使用形態を示す図である。
【符号の説明】
【００２６】１０  電源装置
１１  整流平滑回路
１２  スイッチング回路
１３  スイッチングトランス
１４  整流平滑回路
１５  フィードバック回路
１６  接続プラグ
１６ａ  接続端子
１７  蛍光灯ソケット
１７ａ  接点
１８  ＤＣプラグ
１８ａ  接続コード
２０  蛍光灯器具
２１  安定器
２２  点灯回路
２３  交流入力端子
２４  蛍光灯ソケット
２５  フード
３０  蛍光灯
３１  蛍光灯管球
３２  接続プラグ
４０  電子機器
５０  商用交流電源
【図１】
2005295781.tif 000003
【図２】
2005295781.tif 000004
【図３】
2005295781.tif 000005